【手続補正書】
【提出日】平成19年3月13日(2007.3.13)
【手続補正１】
【補正対象書類名】特許請求の範囲
【補正対象項目名】全文
【補正方法】変更
【補正の内容】
【特許請求の範囲】
【請求項１】
第２〜第４の年月日を指定する日付データの入力を受け付けるための入力手段と、
仕訳明細データを格納する仕訳明細データベース、前記第２〜第４の年月日以前の第１の年月日における各科目の初期残高データを格納する初期残高データベース、前記第２の年月日における各ＰＬ（損益）科目の残高データを格納する期首残高データベース、前記第３の年月日における各科目の残高データを格納する開始残高データベース、及び、前記第４の年月日における各科目の残高データを格納する終了残高データベースを記録するための記録手段と、
前記仕訳明細データ及び前記初期残高データベースに格納されている各科目の前記初期残高データに基づいて、前記第２の年月日における各科目の残高データを算出して前記期首残高データベースに格納させる第１の残高データベース作成手段と、
前記仕訳明細データ、前記初期残高データベースに格納されている各科目の前記初期残高データ、及び、前記期首残高データベースに格納されている各科目の前記期首残高データに基づいて、前記第３の年月日における各科目の残高データ及び前記第４の年月日における各科目の残高データを算出して前記開始残高データベース及び前記終了残高データベースにそれぞれ格納させる第２の残高データベース作成手段と、
前記仕訳明細データ、前記開始残高データベースに格納されている前記第３の年月日における各科目の残高データ、又は、前記終了残高データベースに格納されている前記第４の年月日における各科目の残高データに基づいて、前記第３の年月日から前記第４の年月日までを対象として会計処理を行う情報処理手段と、
を具備する会計処理システム。
【請求項２】
第２〜第４の年月日を指定する日付データの入力を受け付けるための入力手段と、
仕訳明細データを格納する仕訳明細データベース、前記第２〜第４の年月日以前の第１の年月日における各科目の初期残高データを格納する初期残高データベース、前記第２の年月日における各ＰＬ（損益）科目の残高データを格納する期首残高データベース、前記第３の年月日における各科目の残高データを格納する開始残高データベース、及び、前記第４の年月日における各科目の残高データを格納する終了残高データベースを記録するための記録手段と、
前記初期残高データベースに格納されている各ＰＬ科目の前記初期残高データから各ＰＬ科目の前記第１の年月日から前記第２の年月日までの前記仕訳明細データの各合計金額をそれぞれ差引することにより前記第２の年月日における各ＰＬ科目の残高データを算出して前記期首残高データベースに格納させる第１の残高データベース作成手段と、
前記初期残高データベースに格納されている前期繰越利益科目以外の各ＢＳ（バランスシート）科目の前記初期残高データから前期繰越利益科目以外の各ＢＳ科目の前記第１の年月日から前記第３の年月日までの前記仕訳明細データの各合計金額をそれぞれ差引することにより前記第３の年月日における前期繰越利益科目以外の各ＢＳ科目の残高データを算出して前記開始残高データベースに格納させ、前記初期残高データベースに格納されている各ＰＬ科目の前記初期残高データから各ＰＬ科目の前記第１の年月日から前記第３の年月日までの前記仕訳明細データの各合計金額をそれぞれ差引し、更に前記期首残高データベースに格納されている前記第２の年月日における各ＰＬ科目の残高データをそれぞれ差引することにより前記第３の年月日における各ＰＬ科目の残高データを算出して前記開始残高データベースに格納させ、前記期首残高データベースに格納されている前記第２の年月日における各ＰＬ科目の残高データの収益の合計金額から費用の合計金額を差引した金額に、前記初期残高データベースに格納されている前期繰越利益科目の前記初期残高データから前期繰越利益科目の前記第１の年月日から前記第３の年月日までの前記仕訳明細データの合計金額を差引した金額を差引することにより前記第３の年月日における前期繰越利益科目の残高データを算出して前記開始残高データベースに格納させ、前記開始残高データベースに格納されている前記第３の年月日における各科目の残高データに、前記第３の年月日から前記第４の年月日までの各科目の前記仕訳明細データの合計金額をそれぞれ差引することにより前記第４の年月日における各科目の残高データを算出して前記終了残高データベースに格納させる第２の残高データベース作成手段と、
前記仕訳明細データ、前記開始残高データベースに格納されている前記第３の年月日における各科目の残高データ、又は、前記終了残高データベースに格納されている前記第４の年月日における各科目の残高データに基づいて、前記第３の年月日から前記第４の年月日までを対象として会計処理を行う情報処理手段と、
を具備する会計処理システム。
【請求項３】
前記情報処理手段が、合計残高試算表、貸借対照表、損益計算書、製造原価報告書、又は、販売管理費明細書を含む試算表、日計表、補助科目集計表、総勘定元帳、補助元帳、補助内訳元帳、部門別集計表、若しくは、月次推移表を作成することを特徴とする請求項１又は２記載の会計処理システム。
【請求項４】
コンピュータが、仕訳明細データを格納する仕訳明細データベース及び第１の年月日における各科目の初期残高データを格納する初期残高データベースを記録するステップと、
コンピュータが、前記第１の年月日以降の第２〜第４の年月日を指定する日付データの入力を受け付けるステップと、
コンピュータが、前記仕訳明細データ及び前記初期残高データベースに格納されている各科目の前記初期残高データに基づいて、前記第２の年月日における各科目の残高データを算出して期首残高データベースに格納させるステップと、
コンピュータが、前記仕訳明細データ、前記初期残高データベースに格納されている各科目の前記初期残高データ、及び、前記期首残高データベースに格納されている各科目の前記期首残高データベースに基づいて、前記第３の年月日における各科目の残高データ及び前記第４の年月日における各科目の残高データを算出して前記開始残高データベース及び前記終了残高データベースにそれぞれ格納させるステップと、
コンピュータが、前記仕訳明細データ、前記開始残高データベースに格納されている前記第３の年月日における各科目の残高データ、又は、前記終了残高データベースに格納されている前記第４の年月日における各科目の残高データに基づいて、前記第３の年月日から前記第４の年月日までを対象として会計処理を行うステップと、
を具備する会計処理方法。
【請求項５】
コンピュータが、仕訳明細データを格納する仕訳明細データベース及び第１の年月日における各科目の初期残高データを格納する初期残高データベースを記録するステップと、
コンピュータが、前記第１の年月日以降の第２〜第４の年月日を指定する日付データの入力を受け付けるステップと、
コンピュータが、前記初期残高データベースに格納されている各ＰＬ（損益）科目の前記初期残高データから各ＰＬ科目の前記第１の年月日から前記第２の年月日までの前記仕訳明細データの各合計金額をそれぞれ差引することにより前記第２の年月日における各ＰＬ科目の残高データを算出して期首残高データベースに格納させるステップと、
コンピュータが、前記初期残高データベースに格納されている前期繰越利益科目以外の各ＢＳ（バランスシート）科目の前記初期残高データから前期繰越利益科目以外の各ＢＳ科目の前記第１の年月日から前記第３の年月日までの前記仕訳明細データの各合計金額をそれぞれ差引することにより前記第３の年月日における前期繰越利益科目以外の各ＢＳ科目の残高データを算出して開始残高データベースに格納させるステップと、
コンピュータが、前記初期残高データベースに格納されている各ＰＬ科目の前記初期残高データから各ＰＬ科目の前記第１の年月日から前記第３の年月日までの前記仕訳明細データの各合計金額をそれぞれ差引し、更に前記期首残高データベースに格納されている前記第２の年月日における各ＰＬ科目の残高データをそれぞれ差引することにより前記第３の年月日における各ＰＬ科目の残高データを算出して前記開始残高データベースに格納させるステップと、
コンピュータが、前記期首残高データベースに格納されている前記第２の年月日における各ＰＬ科目の残高データの収益の合計金額から費用の合計金額を差引した金額に、前記初期残高データベースに格納されている前期繰越利益科目の前記初期残高データから前期繰越利益科目の前記第１の年月日から前記第３の年月日までの前記仕訳明細データの合計金額を差引した金額を差引することにより前記第３の年月日における前期繰越利益科目の残高データを算出して前記開始残高データベースに格納させるステップと、
コンピュータが、前記開始残高データベースに格納されている前記第３の年月日における各科目の残高データに前記第３の年月日から前記第４の年月日までの各科目の前記仕訳明細データの合計金額をそれぞれ差引することにより前記第４の年月日における各科目の残高データを算出して終了残高データベースに格納させるステップと、
コンピュータが、前記仕訳明細データ、前記開始残高データベースに格納されている前記第３の年月日における各科目の残高データ、又は、前記終了残高データベースに格納されている前記第４の年月日における各科目の残高データに基づいて、前記第３の年月日から前記第４の年月日までを対象として会計処理を行うステップと、
を具備する会計処理方法。
【請求項６】
前記会計処理を行うステップが、合計残高試算表、貸借対照表、損益計算書、製造原価報告書、又は、販売管理費明細書を含む試算表、日計表、補助科目集計表、総勘定元帳、補助元帳、補助内訳元帳、部門別集計表、若しくは、月次推移表を作成することを特徴とする請求項４又は５記載の会計処理方法。
【請求項７】
会計処理を行うためにＣＰＵに実行させるためのプログラムであって、
仕訳明細データを格納する仕訳明細データベース及び第１の年月日における各科目の初期残高データを格納する初期残高データベースを記録する手順と、
前記第１の年月日以降の第２〜第４の年月日を指定する日付データの入力を受け付ける手順と、
前記仕訳明細データ及び前記初期残高データベースに格納されている各科目の前記初期残高データに基づいて、前記第２の年月日における各科目の残高データを算出して期首残高データベースに格納させる手順と、
前記仕訳明細データ、前記初期残高データベースに格納されている各科目の前記初期残高データ、及び、前記期首残高データベースに格納されている各科目の前記期首残高データベースに基づいて、前記第３の年月日における各科目の残高データ及び前記第４の年月日における各科目の残高データを算出して前記開始残高データベース及び前記終了残高データベースにそれぞれ格納させる手順と、
前記仕訳明細データ、前記開始残高データベースに格納されている前記第３の年月日における各科目の残高データ、又は、前記終了残高データベースに格納されている前記第４の年月日における各科目の残高データに基づいて、前記第３の年月日から前記第４の年月日までを対象として会計処理を行う手順と、
を前記ＣＰＵに実行させるための会計処理プログラム。
【請求項８】
会計処理を行うためにＣＰＵに実行させるためのプログラムであって、
仕訳明細データを格納する仕訳明細データベース及び第１の年月日における各科目の初期残高データを格納する初期残高データベースを記録する手順と、
前記第１の年月日以降の第２〜第４の年月日を指定する日付データの入力を受け付ける手順と、
前記初期残高データベースに格納されている各ＰＬ（損益）科目の前記初期残高データから各ＰＬ科目の前記第１の年月日から前記第２の年月日までの前記仕訳明細データの各合計金額をそれぞれ差引することにより前記第２の年月日における各ＰＬ科目の残高データを算出して期首残高データベースに格納させる手順と、
前記初期残高データベースに格納されている前期繰越利益科目以外の各ＢＳ（バランスシート）科目の前記初期残高データから前期繰越利益科目以外の各ＢＳ科目の前記第１の年月日から前記第３の年月日までの前記仕訳明細データの各合計金額をそれぞれ差引することにより前記第３の年月日における前期繰越利益科目以外の各ＢＳ科目の残高データを算出して開始残高データベースに格納させる手順と、
前記初期残高データベースに格納されている各ＰＬ科目の前記初期残高データから各ＰＬ科目の前記第１の年月日から前記第３の年月日までの前記仕訳明細データの各合計金額をそれぞれ差引し、更に前記期首残高データベースに格納されている前記第２の年月日における各ＰＬ科目の残高データをそれぞれ差引することにより前記第３の年月日における各ＰＬ科目の残高データを算出して前記開始残高データベースに格納させる手順と、
前記期首残高データベースに格納されている前記第２の年月日における各ＰＬ科目の残高データの収益の合計金額から費用の合計金額を差引した金額に、前記初期残高データベースに格納されている前期繰越利益科目の前記初期残高データから前期繰越利益科目の前記第１の年月日から前記第３の年月日までの前記仕訳明細データの合計金額を差引した金額を差引することにより前記第３の年月日における前期繰越利益科目の残高データを算出して前記開始残高データベースに格納させる手順と、
前記開始残高データベースに格納されている前記第３の年月日における各科目の残高データに前記第３の年月日から前記第４の年月日までの各科目の前記仕訳明細データの合計金額をそれぞれ差引することにより前記第４の年月日における各科目の残高データを算出して終了残高データベースに格納させる手順と、
前記仕訳明細データ、前記開始残高データベースに格納されている前記第３の年月日における各科目の残高データ、又は、前記終了残高データベースに格納されている前記第４の年月日における各科目の残高データに基づいて、前記第３の年月日から前記第４の年月日までを対象として会計処理を行う手順と、
を前記ＣＰＵに実行させるための会計処理プログラム。
【請求項９】
前記会計処理を行う手順が、合計残高試算表、貸借対照表、損益計算書、製造原価報告書、又は、販売管理費明細書を含む試算表、日計表、補助科目集計表、総勘定元帳、補助元帳、補助内訳元帳、部門別集計表、若しくは、月次推移表を作成することを特徴とする請求項７又は８記載の会計処理プログラム。
【手続補正２】
【補正対象書類名】明細書
【補正対象項目名】０００７
【補正方法】変更
【補正の内容】
【０００７】
以上の課題を解決するため、本発明の第１の観点に係る会計処理システムは、第２〜第４の年月日を指定する日付データの入力を受け付けるための入力手段と、仕訳明細データを格納する仕訳明細データベース、第２〜第４の年月日以前の第１の年月日における各科目の初期残高データを格納する初期残高データベース、第２の年月日における各ＰＬ（損益）科目の残高データを格納する期首残高データベース、第３の年月日における各科目の残高データを格納する開始残高データベース、及び、第４の年月日における各科目の残高データを格納する終了残高データベースを記録するための記録手段と、仕訳明細データ及び初期残高データベースに格納されている各科目の初期残高データに基づいて、第２の年月日における各科目の残高データを算出して期首残高データベースに格納させる第１の残高データベース作成手段と、仕訳明細データ、初期残高データベースに格納されている各科目の初期残高データ、及び、期首残高データベースに格納されている各科目の期首残高データに基づいて、第３の年月日における各科目の残高データ及び第４の年月日における各科目の残高データを算出して開始残高データベース及び終了残高データベースにそれぞれ格納させる第２の残高データベース作成手段と、仕訳明細データ、開始残高データベースに格納されている第３の年月日における各科目の残高データ、又は、終了残高データベースに格納されている第４の年月日における各科目の残高データに基づいて、第３の年月日から第４の年月日までを対象として会計処理を行う情報処理手段とを具備する。
また、本発明の第２の観点に係る会計処理システムは、第２〜第４の年月日を指定する日付データの入力を受け付けるための入力手段と、仕訳明細データを格納する仕訳明細データベース、第２〜第４の年月日以前の第１の年月日における各科目の初期残高データを格納する初期残高データベース、第２の年月日における各ＰＬ（損益）科目の残高データを格納する期首残高データベース、第３の年月日における各科目の残高データを格納する開始残高データベース、及び、第４の年月日における各科目の残高データを格納する終了残高データベースを記録するための記録手段と、初期残高データベースに格納されている各ＰＬ科目の初期残高データから各ＰＬ科目の第１の年月日から第２の年月日までの仕訳明細データの各合計金額をそれぞれ差引することにより第２の年月日における各ＰＬ科目の残高データを算出して期首残高データベースに格納させる第１の残高データベース作成手段と、初期残高データベースに格納されている前期繰越利益科目以外の各ＢＳ（バランスシート）科目の初期残高データから前期繰越利益科目以外の各ＢＳ科目の第１の年月日から第３の年月日までの仕訳明細データの各合計金額をそれぞれ差引することにより第３の年月日における前期繰越利益科目以外の各ＢＳ科目の残高データを算出して開始残高データベースに格納させ、初期残高データベースに格納されている各ＰＬ科目の初期残高データから各ＰＬ科目の第１の年月日から第３の年月日までの仕訳明細データの各合計金額をそれぞれ差引し、更に期首残高データベースに格納されている第２の年月日における各ＰＬ科目の残高データをそれぞれ差引することにより第３の年月日における各ＰＬ科目の残高データを算出して開始残高データベースに格納させ、期首残高データベースに格納されている第２の年月日における各ＰＬ科目の残高データの収益の合計金額から費用の合計金額を差引した金額に、初期残高データベースに格納されている前期繰越利益科目の初期残高データから前期繰越利益科目の第１の年月日から第３の年月日までの仕訳明細データの合計金額を差引した金額を差引することにより第３の年月日における前期繰越利益科目の残高データを算出して開始残高データベースに格納させ、開始残高データベースに格納されている第３の年月日における各科目の残高データに、第３の年月日から第４の年月日までの各科目の仕訳明細データの合計金額をそれぞれ差引することにより第４の年月日における各科目の残高データを算出して終了残高データベースに格納させる第２の残高データベース作成手段と、仕訳明細データ、開始残高データベースに格納されている第３の年月日における各科目の残高データ、又は、終了残高データベースに格納されている第４の年月日における各科目の残高データに基づいて、第３の年月日から第４の年月日までを対象として会計処理を行う情報処理手段とを具備する。
【手続補正３】
【補正対象書類名】明細書
【補正対象項目名】０００９
【補正方法】変更
【補正の内容】
【０００９】
また、本発明の第１の観点に係る会計処理方法は、コンピュータが、仕訳明細データを格納する仕訳明細データベース及び第１の年月日における各科目の初期残高データを格納する初期残高データベースを記録するステップと、コンピュータが、第１の年月日以降の第２〜第４の年月日を指定する日付データの入力を受け付けるステップと、コンピュータが、仕訳明細データ及び初期残高データベースに格納されている各科目の初期残高データに基づいて、第２の年月日における各科目の残高データを算出して期首残高データベースに格納させるステップと、コンピュータが、仕訳明細データ、初期残高データベースに格納されている各科目の初期残高データ、及び、期首残高データベースに格納されている各科目の期首残高データベースに基づいて、第３の年月日における各科目の残高データ及び第４の年月日における各科目の残高データを算出して開始残高データベース及び終了残高データベースにそれぞれ格納させるステップと、コンピュータが、仕訳明細データ、開始残高データベースに格納されている第３の年月日における各科目の残高データ、又は、終了残高データベースに格納されている第４の年月日における各科目の残高データに基づいて、第３の年月日から第４の年月日までを対象として会計処理を行うステップとを具備する。
また、本発明の第２の観点に係る会計処理方法は、コンピュータが、仕訳明細データを格納する仕訳明細データベース及び第１の年月日における各科目の初期残高データを格納する初期残高データベースを記録するステップと、コンピュータが、第１の年月日以降の第２〜第４の年月日を指定する日付データの入力を受け付けるステップと、コンピュータが、初期残高データベースに格納されている各ＰＬ（損益）科目の初期残高データから各ＰＬ科目の第１の年月日から第２の年月日までの仕訳明細データの各合計金額をそれぞれ差引することにより第２の年月日における各ＰＬ科目の残高データを算出して期首残高データベースに格納させるステップと、コンピュータが、初期残高データベースに格納されている前期繰越利益科目以外の各ＢＳ（バランスシート）科目の初期残高データから前期繰越利益科目以外の各ＢＳ科目の第１の年月日から第３の年月日までの仕訳明細データの各合計金額をそれぞれ差引することにより第３の年月日における前期繰越利益科目以外の各ＢＳ科目の残高データを算出して開始残高データベースに格納させるステップと、コンピュータが、初期残高データベースに格納されている各ＰＬ科目の初期残高データから各ＰＬ科目の第１の年月日から第３の年月日までの仕訳明細データの各合計金額をそれぞれ差引し、更に期首残高データベースに格納されている第２の年月日における各ＰＬ科目の残高データをそれぞれ差引することにより第３の年月日における各ＰＬ科目の残高データを算出して開始残高データベースに格納させるステップと、コンピュータが、期首残高データベースに格納されている第２の年月日における各ＰＬ科目の残高データの収益の合計金額から費用の合計金額を差引した金額に、初期残高データベースに格納されている前期繰越利益科目の初期残高データから前期繰越利益科目の第１の年月日から第３の年月日までの仕訳明細データの合計金額を差引した金額を差引することにより第３の年月日における前期繰越利益科目の残高データを算出して開始残高データベースに格納させるステップと、コンピュータが、開始残高データベースに格納されている第３の年月日における各科目の残高データに第３の年月日から第４の年月日までの各科目の仕訳明細データの合計金額をそれぞれ差引することにより第４の年月日における各科目の残高データを算出して終了残高データベースに格納させるステップと、コンピュータが、仕訳明細データ、開始残高データベースに格納されている第３の年月日における各科目の残高データ、又は、終了残高データベースに格納されている第４の年月日における各科目の残高データに基づいて、第３の年月日から第４の年月日までを対象として会計処理を行うステップとを具備する。
【手続補正４】
【補正対象書類名】明細書
【補正対象項目名】００１１
【補正方法】変更
【補正の内容】
【００１１】
また、本発明の第１の観点に係る会計処理プログラムは、会計処理を行うためにＣＰＵに実行させるためのプログラムであって、仕訳明細データを格納する仕訳明細データベース及び第１の年月日における各科目の初期残高データを格納する初期残高データベースを記録する手順と、第１の年月日以降の第２〜第４の年月日を指定する日付データの入力を受け付ける手順と、仕訳明細データ及び初期残高データベースに格納されている各科目の初期残高データに基づいて、第２の年月日における各科目の残高データを算出して期首残高データベースに格納させる手順と、仕訳明細データ、初期残高データベースに格納されている各科目の初期残高データ、及び、期首残高データベースに格納されている各科目の期首残高データベースに基づいて、第３の年月日における各科目の残高データ及び第４の年月日における各科目の残高データを算出して開始残高データベース及び終了残高データベースにそれぞれ格納させる手順と、仕訳明細データ、開始残高データベースに格納されている第３の年月日における各科目の残高データ、又は、終了残高データベースに格納されている第４の年月日における各科目の残高データに基づいて、第３の年月日から第４の年月日までを対象として会計処理を行う手順とをＣＰＵに実行させる。
また、本発明の第２の観点に係る会計処理プログラムは、会計処理を行うためにＣＰＵに実行させるためのプログラムであって、仕訳明細データを格納する仕訳明細データベース及び第１の年月日における各科目の初期残高データを格納する初期残高データベースを記録する手順と、第１の年月日以降の第２〜第４の年月日を指定する日付データの入力を受け付ける手順と、初期残高データベースに格納されている各ＰＬ（損益）科目の初期残高データから各ＰＬ科目の第１の年月日から第２の年月日までの仕訳明細データの各合計金額をそれぞれ差引することにより第２の年月日における各ＰＬ科目の残高データを算出して期首残高データベースに格納させる手順と、初期残高データベースに格納されている前期繰越利益科目以外の各ＢＳ（バランスシート）科目の初期残高データから前期繰越利益科目以外の各ＢＳ科目の第１の年月日から第３の年月日までの仕訳明細データの各合計金額をそれぞれ差引することにより第３の年月日における前期繰越利益科目以外の各ＢＳ科目の残高データを算出して開始残高データベースに格納させる手順と、初期残高データベースに格納されている各ＰＬ科目の初期残高データから各ＰＬ科目の第１の年月日から第３の年月日までの仕訳明細データの各合計金額をそれぞれ差引し、更に期首残高データベースに格納されている第２の年月日における各ＰＬ科目の残高データをそれぞれ差引することにより第３の年月日における各ＰＬ科目の残高データを算出して開始残高データベースに格納させる手順と、期首残高データベースに格納されている第２の年月日における各ＰＬ科目の残高データの収益の合計金額から費用の合計金額を差引した金額に、初期残高データベースに格納されている前期繰越利益科目の初期残高データから前期繰越利益科目の第１の年月日から第３の年月日までの仕訳明細データの合計金額を差引した金額を差引することにより第３の年月日における前期繰越利益科目の残高データを算出して開始残高データベースに格納させる手順と、開始残高データベースに格納されている第３の年月日における各科目の残高データに第３の年月日から第４の年月日までの各科目の仕訳明細データの合計金額をそれぞれ差引することにより第４の年月日における各科目の残高データを算出して終了残高データベースに格納させる手順と、仕訳明細データ、開始残高データベースに格納されている第３の年月日における各科目の残高データ、又は、終了残高データベースに格納されている第４の年月日における各科目の残高データに基づいて、第３の年月日から第４の年月日までを対象として会計処理を行う手順とをＣＰＵに実行させる。